(57)【要約】  本開示は、タッチ信号の処理方法、装置および媒体を開示し、この方法は、イベント派遣プロセスがフルスクリーンジェスチャータッチ信号を検出するステップと、前記フルスクリーンジェスチャータッチ信号がフルスクリーンジェスチャー軌跡判断規則に適合するかどうかを判断するステップと、判断結果に基づいてジェスチャー処理プロセスまたはアプリケーション処理プロセスに前記フルスクリーンジェスチャータッチ信号または前記フルスクリーンジェスチャータッチ信号の中の一部のイベントを送信するステップと、を含む。本開示は、応用プロセスが処理ロジックに適合する完全なタッチ操作シーケンスを受信するようにするので、ジェスチャー処理プロセスとアプリケーション処理プロセスが同時に応答する問題を効果的に防止することができる。これにより、ユーザーがジェスチャー入力領域で操作するとき、インターフェースの切り替えが安定的で、スムーズである。【選択図】図１
2021531519.tif 000002
【特許請求の範囲】
【請求項１】
タッチ信号の処理方法において、
イベント派遣プロセスがフルスクリーンジェスチャータッチ信号を検出するステップと、
前記フルスクリーンジェスチャータッチ信号がフルスクリーンジェスチャー軌跡判断規則に適合するかどうかを判断するステップと、
判断結果に基づいてジェスチャー処理プロセスまたはアプリケーション処理プロセスに前記フルスクリーンジェスチャータッチ信号または前記フルスクリーンジェスチャータッチ信号の中の一部のイベントを送信するステップと、を含むことを特徴とするタッチ信号の処理方法。
【請求項２】
前記判断結果に基づいてジェスチャー処理プロセスまたはアプリケーション処理プロセスに前記フルスクリーンジェスチャータッチ信号または前記フルスクリーンジェスチャータッチ信号の中の一部のイベントを送信するステップは、
前記判断結果が、前記フルスクリーンジェスチャータッチ信号がフルスクリーンジェスチャー軌跡判断規則に適合する結果である場合、前記ジェスチャー処理プロセスに前記フルスクリーンジェスチャータッチ信号または前記フルスクリーンジェスチャータッチ信号の中の一部のイベントを送信するステップと、
前記判断結果が、前記フルスクリーンジェスチャータッチ信号がフルスクリーンジェスチャー軌跡判断規則に適合していない結果である場合、前記アプリケーション処理プロセスに前記フルスクリーンジェスチャータッチ信号または前記フルスクリーンジェスチャータッチ信号の中の一部のイベントを送信するステップと、を含むことを特徴とする請求項１に記載のタッチ信号の処理方法。
【請求項３】
前記イベント派遣プロセスがフルスクリーンジェスチャータッチ信号を検出するステップは、
前記イベント派遣プロセスが所定画面領域内に位置するフルスクリーンジェスチャータッチ信号を検出するステップを含み、
前記前記フルスクリーンジェスチャータッチ信号がフルスクリーンジェスチャー軌跡判断規則に適合するかどうかを判断するステップは、
前記フルスクリーンジェスチャータッチ信号が所定画面領域に対応する前記フルスクリーンジェスチャー軌跡判断規則に適合するかどうかを判断するステップを含むことを特徴とする請求項１に記載のタッチ信号の処理方法。
【請求項４】
フルスクリーンジェスチャーは、指押しイベント、指移動イベントの中の少なくとも一つを含むか、または、フルスクリーンジェスチャーは、指押しイベントと指移動イベントの中の少なくとも一つを含み且つ指停止イベントと指持ち上げイベントの中の少なくとも一つを含むことを特徴とする請求項１または請求項２に記載のタッチ信号の処理方法。
【請求項５】
タッチ信号の処理装置において、イベント派遣プロセス処理モジュールを含み、
前記イベント派遣プロセス処理モジュールは、
フルスクリーンジェスチャータッチ信号を検出する検出モジュールと、
前記フルスクリーンジェスチャータッチ信号がフルスクリーンジェスチャー軌跡判断規則に適合するかどうかを判断する判断モジュールと、
判断結果に基づいてジェスチャー処理プロセスまたはアプリケーション処理プロセスに前記フルスクリーンジェスチャータッチ信号または前記フルスクリーンジェスチャータッチ信号の中の一部のイベントを送信する処理モジュールと、を含むことを特徴とするタッチ信号の処理装置。
【請求項６】
前記処理モジュールは、第１転送モジュールと第２送信モジュールを含み、
前記第１転送モジュールは、前記判断結果が、前記フルスクリーンジェスチャータッチ信号がフルスクリーンジェスチャー軌跡判断規則に適合する結果である場合、前記ジェスチャー処理プロセスに前記フルスクリーンジェスチャータッチ信号または前記フルスクリーンジェスチャータッチ信号の中の一部のイベントを送信し、
前記第２転送モジュールは、前記判断結果が、前記フルスクリーンジェスチャータッチ信号がフルスクリーンジェスチャー軌跡判断規則に適合していない結果である場合、前記アプリケーション処理プロセスに前記フルスクリーンジェスチャータッチ信号または前記フルスクリーンジェスチャータッチ信号の中の一部のイベントを送信することを特徴とする請求項５に記載のタッチ信号の処理装置。
【請求項７】
前記検出モジュールは、所定画面領域内に位置するフルスクリーンジェスチャータッチ信号を検出する方法を使用して、フルスクリーンジェスチャータッチ信号を検出し、
判断モジュールは、前記フルスクリーンジェスチャータッチ信号が所定画面領域に対応する前記フルスクリーンジェスチャー軌跡判断規則に適合するかどうかを判断する方法を使用して、前記フルスクリーンジェスチャータッチ信号がフルスクリーンジェスチャー軌跡判断規則に適合するかどうかを判断することを特徴とする請求項５に記載のタッチ信号の処理装置。
【請求項８】
フルスクリーンジェスチャーは、指押しイベント、指移動イベントの中の少なくとも一つを含むか、または、フルスクリーンジェスチャーは、指押しイベントと指移動イベントの中の少なくとも一つを含み且つ指停止イベントと指持ち上げイベントの中の少なくとも一つを含むことを特徴とする請求項５または請求項６に記載のタッチ信号の処理装置。
【請求項９】
タッチ信号の処理装置において、
プロセッサと、
プロセッサが実行可能な命令を格納するメモリと、を含み、
ここで、前記プロセッサは、
イベント派遣プロセスがフルスクリーンジェスチャータッチ信号を検出し、前記フルスクリーンジェスチャータッチ信号がフルスクリーンジェスチャー軌跡判断規則に適合するかどうかを判断し、判断結果に基づいてジェスチャー処理プロセスまたはアプリケーション処理プロセスに前記フルスクリーンジェスチャータッチ信号または前記フルスクリーンジェスチャータッチ信号の中の一部のイベントを送信するように構成されることを特徴とするタッチ信号の処理装置。
【請求項１０】
非一時的なコンピュータ読み取り可能な記憶媒体において、
前記記憶媒体の中の命令が移動端末のプロセッサによって実行されるとき、移動端末は、タッチ信号の処理方法を実行することができ、
前記方法は、
イベント派遣プロセスがフルスクリーンジェスチャータッチ信号を検出するステップと、前記フルスクリーンジェスチャータッチ信号がフルスクリーンジェスチャー軌跡判断規則に適合するかどうかを判断するステップと、判断結果に基づいてジェスチャー処理プロセスまたはアプリケーション処理プロセスに前記フルスクリーンジェスチャータッチ信号または前記フルスクリーンジェスチャータッチ信号の中の一部のイベントを送信するステップと、を含むことを特徴とする非一時的なコンピュータ読み取り可能な記憶媒体。
【発明の詳細な説明】
【技術分野】
【０００１】
本開示は、移動端末のデータの処理技術分野に関するものであり、特にタッチ信号の処理方法、装置および媒体に関するものである。
【背景技術】
【０００２】
フルスクリーンの移動端末が幅広く応用されることによって、ユーザーの使用体験を向上させるために、スクリーンのジェスチャー入力領域内で、フルスクリーンのジェスチャーを使用して便利な操作を行わせる。
【発明の概要】
【発明が解決しようとする課題】
【０００３】
関連技術に存在する問題を克服するために、本開示は、タッチ信号の処理方法、装置および媒体を提供する。
【課題を解決するための手段】
【０００４】
本公開の実施例の一方面によると、タッチ信号の処理方法を提供し、
イベント派遣プロセスがフルスクリーンジェスチャータッチ信号を検出するステップと、
前記フルスクリーンジェスチャータッチ信号がフルスクリーンジェスチャー軌跡判断規則に適合するかどうかを判断するステップと、
判断結果に基づいてジェスチャー処理プロセスまたはアプリケーション処理プロセスに前記フルスクリーンジェスチャータッチ信号または前記フルスクリーンジェスチャータッチ信号の中の一部のイベントを送信するステップと、を含む。
【０００５】
前記タッチ信号の処理方法は、下記の特徴を備える。
前記判断結果に基づいてジェスチャー処理プロセスまたはアプリケーション処理プロセスに前記フルスクリーンジェスチャータッチ信号または前記フルスクリーンジェスチャータッチ信号の中の一部のイベントを送信するステップは、
前記判断結果が、前記フルスクリーンジェスチャータッチ信号がフルスクリーンジェスチャー軌跡判断規則に適合する結果である場合、前記ジェスチャー処理プロセスに前記フルスクリーンジェスチャータッチ信号または前記フルスクリーンジェスチャータッチ信号の中の一部のイベントを送信するステップと、
前記判断結果が、前記フルスクリーンジェスチャータッチ信号がフルスクリーンジェスチャー軌跡判断規則に適合していない結果である場合、前記アプリケーション処理プロセスに前記フルスクリーンジェスチャータッチ信号または前記フルスクリーンジェスチャータッチ信号の中の一部のイベントを送信するステップと、を含む。
【０００６】
前記タッチ信号の処理方法は、下記の特徴を備える。
前記イベント派遣プロセスがフルスクリーンジェスチャータッチ信号を検出するステップは、
前記イベント派遣プロセスが所定画面領域内に位置するフルスクリーンジェスチャータッチ信号を検出するステップを含み、
前記前記フルスクリーンジェスチャータッチ信号がフルスクリーンジェスチャー軌跡判断規則に適合するかどうかを判断するステップは、
前記フルスクリーンジェスチャータッチ信号が所定画面領域に対応する前記フルスクリーンジェスチャー軌跡判断規則に適合するかどうかを判断するステップを含む。
【０００７】
前記タッチ信号の処理方法は、下記の特徴を備える。
フルスクリーンジェスチャーは、指押しイベント、指移動イベントの中の少なくとも一つを含むか、または、フルスクリーンジェスチャーは、指押しイベントと指移動イベントの中の少なくとも一つを含み且つ指停止イベントと指持ち上げイベントの中の少なくとも一つを含む。
【０００８】
本公開の実施例の他の一方面によると、タッチ信号の処理装置を提供し、イベント派遣プロセス処理モジュールを含み、
前記イベント派遣プロセス処理モジュールは、
フルスクリーンジェスチャータッチ信号を検出する検出モジュールと、
前記フルスクリーンジェスチャータッチ信号がフルスクリーンジェスチャー軌跡判断規則に適合するかどうかを判断する判断モジュールと、
判断結果に基づいてジェスチャー処理プロセスまたはアプリケーション処理プロセスに前記フルスクリーンジェスチャータッチ信号または前記フルスクリーンジェスチャータッチ信号の中の一部のイベントを送信する処理モジュールと、を含む。
【０００９】
前記タッチ信号の処理装置は、下記の特徴を備える。
前記処理モジュールは、第１転送モジュールと第２送信モジュールを含み、
前記第１転送モジュールは、前記判断結果が、前記フルスクリーンジェスチャータッチ信号がフルスクリーンジェスチャー軌跡判断規則に適合する結果である場合、前記ジェスチャー処理プロセスに前記フルスクリーンジェスチャータッチ信号または前記フルスクリーンジェスチャータッチ信号の中の一部のイベントを送信し、
前記第２転送モジュールは、前記判断結果が、前記フルスクリーンジェスチャータッチ信号がフルスクリーンジェスチャー軌跡判断規則に適合していない結果である場合、前記アプリケーション処理プロセスに前記フルスクリーンジェスチャータッチ信号または前記フルスクリーンジェスチャータッチ信号の中の一部のイベントを送信する。
【００１０】
前記タッチ信号の処理装置は、下記の特徴を備える。
前記検出モジュールは、所定画面領域内に位置するフルスクリーンジェスチャータッチ信号を検出する方法を使用して、フルスクリーンジェスチャータッチ信号を検出し、
判断モジュールは、前記フルスクリーンジェスチャータッチ信号が所定画面領域に対応する前記フルスクリーンジェスチャー軌跡判断規則に適合するかどうかを判断する方法を使用して、前記フルスクリーンジェスチャータッチ信号がフルスクリーンジェスチャー軌跡判断規則に適合するかどうかを判断する。
【００１１】
前記タッチ信号の処理装置は、下記の特徴を備える。
フルスクリーンジェスチャーは、指押しイベント、指移動イベントの中の少なくとも一つを含むか、または、フルスクリーンジェスチャーは、指押しイベントと指移動イベントの中の少なくとも一つを含み且つ指停止イベントと指持ち上げイベントの中の少なくとも一つを含む。
【００１２】
本公開の実施例の他の一方面によると、タッチ信号の処理装置を提供し、
プロセッサと、
プロセッサが実行可能な命令を格納するメモリと、を含み、
ここで、前記プロセッサは、
イベント派遣プロセスがフルスクリーンジェスチャータッチ信号を検出し、前記フルスクリーンジェスチャータッチ信号がフルスクリーンジェスチャー軌跡判断規則に適合するかどうかを判断し、判断結果に基づいてジェスチャー処理プロセスまたはアプリケーション処理プロセスに前記フルスクリーンジェスチャータッチ信号または前記フルスクリーンジェスチャータッチ信号の中の一部のイベントを送信するように配置される。
【００１３】
本公開の実施例の他の一方面によると、非一時的なコンピュータ読み取り可能な記憶媒体を提供し、
前記記憶媒体の中の命令が移動端末のプロセッサによって実行されるとき、移動端末は、タッチ信号の処理方法を実行することができ、
前記方法は、
イベント派遣プロセスがフルスクリーンジェスチャータッチ信号を検出するステップと、前記フルスクリーンジェスチャータッチ信号がフルスクリーンジェスチャー軌跡判断規則に適合するかどうかを判断するステップと、判断結果に基づいてジェスチャー処理プロセスまたはアプリケーション処理プロセスに前記フルスクリーンジェスチャータッチ信号または前記フルスクリーンジェスチャータッチ信号の中の一部のイベントを送信するステップと、を含む。
【発明の効果】
【００１４】
本公開の実施例で提供される技術方案によると、下記のような有益な効果を得ることができる。本開示は、応用プロセスが処理ロジックに適合する完全なタッチ操作シーケンスを受信するようにして、ジェスチャー処理プロセスとアプリケーション処理プロセスが同時に応答する問題を効果的に防止することができるので、ユーザーがジェスチャー入力領域で操作するとき、インターフェースの切り替えが安定的で、スムーズである。
【００１５】
理解するのは、前記の一般的な説明と後述する詳細な説明は、単に例示的で解釈的なものであり、本開示を限定するものではない。
【００１６】
ここの図面は、明細書に併合されて明細書の一部を構成し、本発明に適合する実施例を示し、明細書と一緒に本発明の原理を解釈する。
【図面の簡単な説明】
【００１７】
【図１】一例示的な実施形態によるタッチ信号の処理方法のフローチャートである。
【図２】一例示的な実施形態によるジェスチャー入力領域が移動端末のスクリーンでの位置を示す例示図である。
【図３】一例示的な実施形態によるタッチ信号の処理装置のブロック図である。
【図４】一例示的な実施形態によるタッチ信号の処理装置のブロック図である。
【発明を実施するための形態】
【００１８】
以下、例示的な実施例について詳細に説明し、その実例は図面に表わす。下記の説明において、図面に関する説明に対して別々のことを表わさない場合、異なる図面で表わす同じ数字は同一または類似する要素を表わす。下記の例示的な実施例で説明している実施方式は、本開示と一致するすべての実施方式を代表するものではない。逆に、これらは添付されている請求の範囲に記載される本開示の一方面と一致する装置および方法の一例にすぎない。
【００１９】
発明者は、フルスクリーンのジェスチャーの処理プロセスを維持するとき、下記の処理方式を使用した。イベント派遣プロセスがタッチ信号を受信した後、ジェスチャー処理プロセスに転送し、ジェスチャー処理プロセスは、前記タッチ信号がフルスクリーンジェスチャー軌跡判断規則に適合するかどうかを判断する。フルスクリーンジェスチャー軌跡判断規則に適合していない場合は、イベント派遣プロセスに前記タッチ信号に含まれるすべてのイベントを送信し、イベント派遣プロセスは、受信されたイベントをアプリケーション処理プロセスに送信する。前記過程では、イベント派遣プロセスは、応用のタッチ信号をアプリケーション処理プロセスに派遣することもできる。前記処理方法を使用する場合は、ジェスチャー処理プロセスとアプリケーション処理プロセスが同時に応答しやすいので、スクリーンのインターフェースが誤った切り替えを頻繁に行う問題が存在する。これにより、ユーザーの使用体験に影響を与えることができる。発明者は、創造性の労働を通じて、タッチ信号の処理方法を提供する。図１のように、前記タッチ信号の処理方法は、以下のステップを含む。
【００２０】
ステップS１１において、イベント派遣プロセスは、フルスクリーンジェスチャータッチ信号を検出する。
【００２１】
ステップS１２において、前記フルスクリーンジェスチャータッチ信号がフルスクリーンジェスチャー軌跡判断規則に適合するかどうかを判断する。
【００２２】
ステップS１３において、判断結果に基づいてジェスチャー処理プロセス又はアプリケーション処理プロセスに前記フルスクリーンジェスチャータッチ信号または前記フルスクリーンジェスチャータッチ信号の一部のイベントを送信する。
【００２３】
ここで、
ステップS１３において、判断結果に基づいてジェスチャー処理プロセスまたはアプリケーション処理プロセスに前記フルスクリーンジェスチャータッチ信号または前記フルスクリーンジェスチャータッチ信号の一部のイベントを送信するステップは、
【００２４】
前記判断結果が、前記フルスクリーンジェスチャータッチ信号がフルスクリーンジェスチャー軌跡判断規則に適合する結果である場合には、前記のジェスチャー処理プロセスに前記フルスクリーンジェスチャータッチ信号または前記フルスクリーンジェスチャータッチ信号の一部のイベントを送信するステップと、
【００２５】
前記判断結果が、前記フルスクリーンジェスチャータッチ信号がフルスクリーンジェスチャー軌跡判断規則に適合していない結果である場合には、前記アプリケーション処理プロセスに前記フルスクリーンジェスチャータッチ信号または前記フルスクリーンジェスチャータッチ信号の一部のイベントを送信するステップと、を含む。
【００２６】
ここで、イベント派遣プロセスは、システムの底層に位置する。例えば、システムのsystem_server層に位置する。アプリケーション処理プロセスは、システムの業務層に位置して、各応用（例えば、インストール応用、マップ応用、デスクトップ応用、インターフェースインタラクション応用など）に対して処理する。ジェスチャー処理プロセスシステムの業務層に位置し、業務の層中のいずれかの応用によって維持されることができ、単独一つの業務層プロセスことができる。
【００２７】
本方法は、応用プロセスが処理ロジックに適合する完全なタッチ操作シーケンスを受信するようにして、ジェスチャー処理プロセスとアプリケーション処理プロセスが同時に応答する問題を効果的に防止することができるので、ユーザーがジェスチャー入力領域で操作するとき、インターフェースの切り替えが安定的で、スムーズである。
【００２８】
それぞれのジェスチャー入力領域は、一種類のフルスクリーンジェスチャー軌跡判断規則に対応される。前記フルスクリーンジェスチャー軌跡判断規則に含まれる１つまたは複数のジェスチャー軌跡判断規則において、ジェスチャーが異なることにより、機能も異なる。例えば、一ジェスチャーの機能は、メインページに直接戻ることであるが、他の一ジェスチャーの機能は、現在のインターフェースの経路の前の経路に戻る。具体的には、ステップS１１中のイベント派遣プロセスは、フルスクリーンジェスチャータッチ信号を検出するステップは、イベント派遣プロセスは所定画面領域内に位置するフルスクリーンジェスチャータッチ信号を検出するステップを含む。ステップS１２中の前記フルスクリーンジェスチャータッチ信号がフルスクリーンジェスチャー軌跡判断規則に適合するかどうかを判断するステップは、前記フルスクリーンジェスチャータッチ信号が所定画面領域に対応する前記フルスクリーンジェスチャー軌跡判断規則に適合するかどうかを判断するステップを含む。
【００２９】
図２は、ジェスチャー入力領域が移動端末のスクリーンでの位置を示す例示図である。フルスクリーンジェスチャー入力領域は、一般的にスクリーンのエッジ、例えば左エッジ、右エッジ、または底部エッジに位置する。
【００３０】
フルスクリーンジェスチャーは、一連の関連操作イベントである。例えば、フルスクリーンジェスチャーは、指押しイベント、指移動イベントのうちの少なくとも一つを含むか、または、フルスクリーンジェスチャーは、指押しイベントと指移動イベントの中の少なくとも一つを含み、また指停止イベントと指持ち上げイベントの中の少なくとも一つを含む。
【００３１】
以下、具体的な実施例を介して説明する。
具体的な実施例
移動端末のスクリーンの右側エッジ領域がジェスチャー入力領域であり、フルスクリーンジェスチャー軌跡判断規則がジェスチャー入力領域内にスライドタッチ信号を入力する規則である場合、メイン画面のページに戻る。
【００３２】
移動端末がゲーム応用を実行しており、現在のゲーム進行インターフェースにおいてジェスチャー入力領域を含む右側領域がゲームメインインターフェースに戻る操作領域である場合、ユーザーは前記右側領域にダブルクリック操作をするとき、ゲーム応用は、現在のゲーム進行インターフェースは、ゲームのメインインターフェースに転換される。
【００３３】
ユーザーがジェスチャー入力領域にスライディングタッチ信号を入力して、イベント派遣プロセスがジェスチャー入力領域に位置する前記タッチ信号を検出した後、前記タッチ信号がフルスクリーンジェスチャー軌跡判断規則に適合することを判断し、ジェスチャー処理プロセスに前記タッチ信号を送信し、ジェスチャー処理プロセスが分析した後、現在のインターフェースをメイン画面ページに戻るように制御する。
【００３４】
または、ユーザーがジェスチャー入力領域にスライディングタッチ信号を入力し、前記スライディングタッチ信号は、指押しイベント（１個）と指移動イベント（5個）を含み、前記タッチ信号がフルスクリーンジェスチャー軌跡判断規則に適合することを判断し、ジェスチャー処理プロセスに前記タッチ信号の１個の指押しイベントと最初の３個の指移動イベントを送信し、ジェスチャー処理プロセスが分析した後、現在のインターフェースをメイン画面ページに戻るように制御する。
【００３５】
ユーザーがジェスチャー入力領域を、ダブルクリックタッチ信号を入力して、イベント派遣プロセスがジェスチャー入力領域に位置する前記タッチ信号を検出した後、前記タッチ信号がフルスクリーンジェスチャー軌跡判断規則に適合していないことを判断し、アプリケーション処理プロセスに前記タッチ信号を送信し、アプリケーション処理プロセスが分析した後、現在のインターフェースをゲームメインインターフェースに戻るように制御する。
【００３６】
または、ユーザーがジェスチャー入力領域を、ダブルクリックタッチ信号を入力して、イベント派遣プロセスがジェスチャー入力領域に位置する前記タッチ信号を検出した後、前記タッチ信号がフルスクリーンジェスチャー軌跡判断規則に適合していないことを判断して、アプリケーション処理プロセスに前記タッチ信号の一部のイベントを送信して、すなわち、アプリケーション処理プロセスに前記タッチ信号中のクリックイベントを送信し、アプリケーション処理プロセスが分析した後、現在のインターフェースが変わらないように維持する。
【００３７】
図３は、一例示的な実施形態によるタッチ信号の処理装置のブロック図である。前記装置は、イベント派遣プロセス処理モジュールを含む。前記イベント派遣プロセス処理モジュールは、検出モジュール、判断モジュール、処理モジュールを含む。
【００３８】
前記検出モジュールは、フルスクリーンジェスチャータッチ信号を検出する。
【００３９】
前記判断モジュールは、前記フルスクリーンジェスチャータッチ信号がフルスクリーンジェスチャー軌跡判断規則に適合するかどうかを判断する。
【００４０】
前記処理モジュールは、判断結果に基づいてジェスチャー処理プロセスまたはアプリケーション処理プロセスに前記フルスクリーンジェスチャータッチ信号または前記フルスクリーンジェスチャータッチ信号の中の一部のイベントを送信する。
【００４１】
ここで、
処理モジュールは、第１転送モジュールと第２送信モジュールを含む。
【００４２】
前記第１転送モジュールは、前記判断結果が、前記フルスクリーンジェスチャータッチ信号がフルスクリーンジェスチャー軌跡判断規則に適合する結果である場合には、前記ジェスチャー処理プロセスに前記フルスクリーンジェスチャータッチ信号または前記フルスクリーンジェスチャータッチ信号の中の一部のイベントを送信する。
【００４３】
前記第２転送モジュールは、前記の判断結果が、前記フルスクリーンジェスチャータッチ信号がフルスクリーンジェスチャー軌跡判断規則に適合していない結果である場合には、前記アプリケーション処理プロセスに前記フルスクリーンジェスチャータッチ信号または前記フルスクリーンジェスチャータッチ信号の中の一部のイベントを送信する。
【００４４】
具体的には、
検出モジュールは、下記の方法を使用して、プールの画面ジェスチャータッチ信号を検出する。つまり所定画面領域内に位置するフルスクリーンジェスチャータッチ信号を検出する。
【００４５】
判断モジュールは、下記の方法を使用して、前記フルスクリーンジェスチャータッチ信号がフルスクリーンジェスチャー軌跡判断規則に適合するかどうかを判断する。すなわち、前記フルスクリーンジェスチャータッチ信号が所定画面領域に対応する前記フルスクリーンジェスチャー軌跡判断規則に適合するかどうかを判断する。
【００４６】
フルスクリーンジェスチャーは、指押しイベント、指移動イベントのうちの少なくとも一つを含むか、または、フルスクリーンジェスチャーは、指押しイベントと指移動イベント中の少なくとも一つを含み且つ指停止イベントと指持ち上げイベント中の少なくとも一つを含む。
【００４７】
図４は他の例示的実施例に係るタッチ信号の処理装置４００を示すブロック図である。例えば、装置４００は、携帯電話、コンピュータ、デジタルブロードキャスト端末、メッセージ送受信機、ゲーム機、タブレット装置、医療機器、フィットネス機器、ＰＤＡ等のものであってもよい。
【００４８】
図４を参照すると、装置４００は、処理ユニット４０２、メモリ４０４、電源ユニット４０６、マルチメディアユニット４０８、オーディオユニット４１０、入力/出力（Ｉ/Ｏ）インターフェース４１２、センサーユニット４１４、及び通信ユニット４１６からなる群から選ばれる少なくとも１つを備えてもよい。
【００４９】
処理ユニット４０２は、一般的には、装置４００の全体の操作、例えば、表示、電話呼び出し、データ通信、カメラ操作及び記録操作に関連する操作を制御する。処理ユニット４０２は、上述した方法におけるステップの一部又は全部を実現できるように、命令を実行する少なくとも１つのプロセッサ４２０を備えてもよい。また、処理ユニット４０２は、他のユニットとのインタラクションを便利にさせるように、少なくとも１つのモジュールを備えてもよい。例えば、処理ユニット４０２は、マルチメディアユニット４０８とのインタラクションを便利にさせるように、マルチメディアモジュールを備えてもよい。
【００５０】
メモリ４０４は、装置４００での操作をサポートするように、各種のデータを記憶するように配置される。これらのデータは、例えば、装置４００で何れの応用又は方法を操作するための命令、連絡先データ、電話帳データ、メッセージ、画像、ビデオ等を含む。メモリ４０４は、何れの種類の揮発性又は不揮発性メモリ、例えば、ＳＲＡＭ（Ｓｔａｔｉｃ Ｒａｎｄｏｍ Ａｃｃｅｓｓ Ｍｅｍｏｒｙ）、ＥＥＰＲＯＭ（Ｅｌｅｃｔｒｉｃａｌｌｙ Ｅｒａｓａｂｌｅ Ｐｒｏｇｒａｍｍａｂｌｅ Ｒｅａｄ−Ｏｎｌｙ Ｍｅｍｏｒｙ）、ＥＰＲＯＭ（Ｅｒａｓａｂｌｅ Ｐｒｏｇｒａｍｍａｂｌｅ Ｒｅａｄ Ｏｎｌｙ Ｍｅｍｏｒｙ）、ＰＲＯＭ（Ｐｒｏｇｒａｍｍａｂｌｅ ＲＯＭ）、ＲＯＭ（Ｒｅａｄ Ｏｎｌｙ Ｍｅｍｂｅｒ）、磁気メモリ、フラッシュメモリ、磁気ディスク、或いは光ディスクにより、或いはそれらの組み合わせにより実現することができる。
【００５１】
電源ユニット４０６は、装置４００の各種ユニットに電力を供給するためのものであり、電源管理システム、１つ又は複数の電源、及び装置４００のために電力を生成、管理及び分配することに関連する他のユニットを備えてもよい。
【００５２】
マルチメディアユニット４０８は、装置４００とユーザーとの間に出力インターフェースを提供するスクリーンを備えてもよい。スクリーンは、例えば、液晶ディスプレイ（ＬＣＤ）やタッチパネル（ＴＰ）を備えてもよい。スクリーンは、タッチパネルを備える場合、ユーザーからの入力信号を受信するように、タッチスクリーンになることができる。また、タッチパネルは、タッチや、スライドや、タッチパネル上の手振りを感知するように、少なくとも１つのタッチセンサーを有する。タッチセンサーは、タッチやスライド動作の境界を感知できるだけではなく、タッチやスライド操作と関連する持続時間や圧力も感知できる。一実施例では、マルチメディアユニット４０８は、フロントカメラ及び/又はバックカメラを有してもよい。装置４００が、例えば、撮影モードやビデオモードのような操作モードにある時、フロントカメラ及び/又はバックカメラが外部のマルチメディアデータを受信できる。フロントカメラ及びバックカメラのそれぞれは、固定の光学レンズ系であってもよいし、焦点距離及び光学ズーム能力を有するものであってもよい。
【００５３】
オーディオユニット４１０は、オーディオ信号を出力及び/又は入力するように配置される。例えば、オーディオユニット４１０は、マイクロフォン（ＭｉＣ）を有してもよい。装置４００が、例えば、呼び出しモード、記録モード、又は音声認識モードのような操作モードにあるとき、マイクロフォンは、外部のオーディオ信号を受信するように配置される。受信したオーディオ信号は、メモリ４０４にさらに記憶されてもよいし、通信ユニット４１６を介して送信されてもよい。一実施例では、オーディオユニット４１０は、オーディオ信号を出力するためのスピーカをさらに備えてもよい。
【００５４】
Ｉ/Ｏインターフェース４１２は、処理ユニット４０２と外部のインターフェースモジュールとの間にインターフェースを提供するためのものである。前記外部のインターフェースモジュールは、キーボードや、クリックホイールや、ボタン等であってもよい。これらのボタンは、ホームボタンや、音量ボタンや、スタートボタンや、ロックボタンであってもよいが、それらに限らない。
【００５５】
センサーユニット４１４は、装置４００のために各方面の状態を評価する少なくとも１つのセンサーを備えてもよい。例えば、センサーユニット４１４は、装置４００のオン/オフ状態や、ユニットの相対的な位置を検出することができる。例えば、前記ユニットは、装置４００のディスプレイ及びキーパッドである。センサーユニット４１４は、装置４００又は装置４００の１つのユニットの位置の変化や、ユーザーが装置４００に接触しているか否かや、装置４００の方向又は加速/減速や、装置４００の温度変化を検出することができる。センサーユニット４１４は、何れの物理的な接触もない場合に付近の物体を検出するように配置される近接センサーを有してもよい。センサーユニット４１４は、イメージング応用に用いるための光センサー、例えば、ＣＭＯＳ又はＣＣＤ画像センサーを有してもよい。一実施例では、当該センサーユニット４１４は、加速度センサー、ジャイロスコープセンサー、磁気センサー、圧力センサー又は温度センサーをさらに備えてもよい。
【００５６】
通信ユニット４１６は、装置４００と他の設備の間との無線又は有線通信を便利にさせるように配置される。装置４００は、通信標準に基づく無線ネットワーク、例えば、ＷｉＦｉ、２Ｇ、３Ｇ、４Ｇ又は５Ｇ、又はそれらの組み合わせにアクセスできる。１つの例示的な実施例では、通信ユニット４１６は、ブロードキャストチャンネルを介して外部のブロードキャスト管理システムからのブロードキャスト信号又はブロードキャストに関する情報を受信する。１つの例示的な実施例では、前記通信ユニット４１６は、近距離通信を促進するために近距離無線通信（ＮＦＣ）モジュールをさらに備えてもよい。例えば、ＮＦＣモジュールは、無線周波数認識装置（ＲＦＩＤ：Ｒａｄｉｏ Ｆｒｅｑｕｅｎｃｙ ＩＤｅｎｔｉｆｉｃａｔｉｏｎ）技術、赤外線データ協会（ＩｒＤＡ：Ｉｎｆｒａｒｅｄ Ｄａｔａ Ａｓｓｏｃｉａｔｉｏｎ）技術、超広帯域無線（ＵＷＢ：Ｕｌｔｒａ Ｗｉｄｅ Ｂａｎｄ）技術、ブルートゥース（ＢＴ：Ｂｌｕｅｔｏｏｔｈ（登録商標））技術及び他の技術によって実現されてもよい。
【００５７】
例示的な実施例では、装置４００は、上述した方法を実行するために、１つ又は複数の特定用途向け集積回路（ＡＳＩＣ：Ａｐｐｌｉｃａｔｉｏｎ Ｓｐｅｃｉｆｉｃ Ｉｎｔｅｇｒａｔｅｄ Ｃｉｒｃｕｉｔ）、デジタル信号プロセッサ（ＤＳＰ：Ｄｉｇｉｔａｌ Ｓｉｇｎａｌ Ｐｒｏｃｅｓｓｏｒ）、数字信号処理装置（ＤＳＰＤ：Ｄｉｇｉｔａｌ Ｓｉｇｎａｌ Ｐｒｏｃｅｓｓｉｎｇ Ｄｅｖｉｃｅ）、プログラム可能論理装置（ＰＬＤ：Ｐｒｏｇｒａｍｍａｂｌｅ Ｌｏｇｉｃ Ｄｅｖｉｃｅ）、書替え可能ゲートアレイ（ＦＰＧＡ：Ｆｉｅｌｄ−Ｐｒｏｇｒａｍｍａｂｌｅ Ｇａｔｅ Ａｒｒａｙ）、コントローラ、マイクロコントローラ、マイクロプロセッサ、又は他の電子機器によって実現されて、前記方法を実行する。
【００５８】
例示的な実施例では、命令を有する非一時的コンピュータ読み取り可能な記録媒体を提供し、前記記録媒体にはコンピュータプログラムを記録する。当該コンピュータプログラムはプロセッサ４２０により実行されて上述方法を実現する。例えば、前記非一時的コンピュータ読み取り可能な記録媒体は、ＲＯＭ、ＲＡＭ、ＣＤ-ＲＯＭ、磁気テープ、フロッピー（登録商標）ディスク及び光データメモリ等であってもよい。
【００５９】
当業者は、明細書に対する理解、及び明細書に記載された発明に対する実施を介して、本発明の他の実施形態を容易に取得することができる。本発明は、本発明に対する任意の変形、用途、又は適応的な変化を含み、このような変形、用途、又は適応的な変化は、本発明の一般的な原理に従い、本発明では開示していない本技術分野の公知知識、又は通常の技術手段を含む。明細書及び実施例は、単に例示的なものであって、本発明の本当の範囲と主旨は、以下の特許請求の範囲によって示される。
【００６０】
本発明は、前記で記述され、図面で図示した特定の構成に限定されず、その範囲を離脱しない状況で、様々な修正や変更を実施してもよい。本発明の範囲は、添付される特許請求の範囲のみにより限定される。
【図１】
2021531519.tif 000003
【図２】
2021531519.tif 000004
【図３】
2021531519.tif 000005
【図４】
2021531519.tif 000006
【手続補正書】
【提出日】令和1年11月14日(2019.11.14)
【手続補正１】
【補正対象書類名】特許請求の範囲
【補正対象項目名】全文
【補正方法】変更
【補正の内容】
【特許請求の範囲】
【請求項１】
タッチ信号の処理方法において、
イベント派遣プロセスがフルスクリーンジェスチャータッチ信号を検出するステップと、
前記フルスクリーンジェスチャータッチ信号がフルスクリーンジェスチャー軌跡判断規則に適合するかどうかを判断するステップと、
判断結果に基づいてジェスチャー処理プロセスまたはアプリケーション処理プロセスに前記フルスクリーンジェスチャータッチ信号または前記フルスクリーンジェスチャータッチ信号の中の一部のイベントを送信するステップと、を含むことを特徴とするタッチ信号の処理方法。
【請求項２】
前記判断結果に基づいてジェスチャー処理プロセスまたはアプリケーション処理プロセスに前記フルスクリーンジェスチャータッチ信号または前記フルスクリーンジェスチャータッチ信号の中の一部のイベントを送信するステップは、
前記判断結果が、前記フルスクリーンジェスチャータッチ信号がフルスクリーンジェスチャー軌跡判断規則に適合する結果である場合、前記ジェスチャー処理プロセスに前記フルスクリーンジェスチャータッチ信号または前記フルスクリーンジェスチャータッチ信号の中の一部のイベントを送信するステップと、
前記判断結果が、前記フルスクリーンジェスチャータッチ信号がフルスクリーンジェスチャー軌跡判断規則に適合していない結果である場合、前記アプリケーション処理プロセスに前記フルスクリーンジェスチャータッチ信号または前記フルスクリーンジェスチャータッチ信号の中の一部のイベントを送信するステップと、を含むことを特徴とする請求項１に記載のタッチ信号の処理方法。
【請求項３】
前記イベント派遣プロセスがフルスクリーンジェスチャータッチ信号を検出するステップは、
前記イベント派遣プロセスが所定画面領域内に位置するフルスクリーンジェスチャータッチ信号を検出するステップを含み、
前記前記フルスクリーンジェスチャータッチ信号がフルスクリーンジェスチャー軌跡判断規則に適合するかどうかを判断するステップは、
前記フルスクリーンジェスチャータッチ信号が所定画面領域に対応する前記フルスクリーンジェスチャー軌跡判断規則に適合するかどうかを判断するステップを含むことを特徴とする請求項１に記載のタッチ信号の処理方法。
【請求項４】
フルスクリーンジェスチャーは、指押しイベント、指移動イベントの中の少なくとも一つを含むか、または、フルスクリーンジェスチャーは、指押しイベントと指移動イベントの中の少なくとも一つを含み且つ指停止イベントと指持ち上げイベントの中の少なくとも一つを含むことを特徴とする請求項１または請求項２に記載のタッチ信号の処理方法。
【請求項５】
タッチ信号の処理装置において、イベント派遣プロセス処理モジュールを含み、
前記イベント派遣プロセス処理モジュールは、
フルスクリーンジェスチャータッチ信号を検出する検出モジュールと、
前記フルスクリーンジェスチャータッチ信号がフルスクリーンジェスチャー軌跡判断規則に適合するかどうかを判断する判断モジュールと、
判断結果に基づいてジェスチャー処理プロセスまたはアプリケーション処理プロセスに前記フルスクリーンジェスチャータッチ信号または前記フルスクリーンジェスチャータッチ信号の中の一部のイベントを送信する処理モジュールと、を含むことを特徴とするタッチ信号の処理装置。
【請求項６】
前記処理モジュールは、第１転送モジュールと第２転送モジュールを含み、
前記第１転送モジュールは、前記判断結果が、前記フルスクリーンジェスチャータッチ信号がフルスクリーンジェスチャー軌跡判断規則に適合する結果である場合、前記ジェスチャー処理プロセスに前記フルスクリーンジェスチャータッチ信号または前記フルスクリーンジェスチャータッチ信号の中の一部のイベントを送信し、
前記第２転送モジュールは、前記判断結果が、前記フルスクリーンジェスチャータッチ信号がフルスクリーンジェスチャー軌跡判断規則に適合していない結果である場合、前記アプリケーション処理プロセスに前記フルスクリーンジェスチャータッチ信号または前記フルスクリーンジェスチャータッチ信号の中の一部のイベントを送信することを特徴とする請求項５に記載のタッチ信号の処理装置。
【請求項７】
前記検出モジュールは、所定画面領域内に位置するフルスクリーンジェスチャータッチ信号を検出する方法を使用して、フルスクリーンジェスチャータッチ信号を検出し、
判断モジュールは、前記フルスクリーンジェスチャータッチ信号が所定画面領域に対応する前記フルスクリーンジェスチャー軌跡判断規則に適合するかどうかを判断する方法を使用して、前記フルスクリーンジェスチャータッチ信号がフルスクリーンジェスチャー軌跡判断規則に適合するかどうかを判断することを特徴とする請求項５に記載のタッチ信号の処理装置。
【請求項８】
フルスクリーンジェスチャーは、指押しイベント、指移動イベントの中の少なくとも一つを含むか、または、フルスクリーンジェスチャーは、指押しイベントと指移動イベントの中の少なくとも一つを含み且つ指停止イベントと指持ち上げイベントの中の少なくとも一つを含むことを特徴とする請求項５または請求項６に記載のタッチ信号の処理装置。
【請求項９】
タッチ信号の処理装置において、
プロセッサと、
プロセッサが実行可能な命令を格納するメモリと、を含み、
ここで、前記プロセッサは、
イベント派遣プロセスがフルスクリーンジェスチャータッチ信号を検出し、前記フルスクリーンジェスチャータッチ信号がフルスクリーンジェスチャー軌跡判断規則に適合するかどうかを判断し、判断結果に基づいてジェスチャー処理プロセスまたはアプリケーション処理プロセスに前記フルスクリーンジェスチャータッチ信号または前記フルスクリーンジェスチャータッチ信号の中の一部のイベントを送信するように構成されることを特徴とするタッチ信号の処理装置。
【請求項１０】
非一時的なコンピュータ読み取り可能な記憶媒体において、
前記記憶媒体の中の命令が移動端末のプロセッサによって実行されるとき、移動端末は、タッチ信号の処理方法を実行することができ、
前記方法は、
イベント派遣プロセスがフルスクリーンジェスチャータッチ信号を検出するステップと、前記フルスクリーンジェスチャータッチ信号がフルスクリーンジェスチャー軌跡判断規則に適合するかどうかを判断するステップと、判断結果に基づいてジェスチャー処理プロセスまたはアプリケーション処理プロセスに前記フルスクリーンジェスチャータッチ信号または前記フルスクリーンジェスチャータッチ信号の中の一部のイベントを送信するステップと、を含むことを特徴とする非一時的なコンピュータ読み取り可能な記憶媒体。
【国際調査報告】
2021531519.tif 000007
2021531519.tif 000008
2021531519.tif 000009
2021531519.tif 000010